(57)【要約】【課題】張付モルタルに対するタイル自体の付着力、または、コンクリートに対するタイル自体の付着力を高めることができるタイル及びその取り付け構造を提供すること。【解決手段】本発明のタイル１０は陶磁器質タイルまたはせっ器タイルに適用され、その裏面１０Ａにコンクリートまたはモルタル中に潜り込みコンクリートまたはモルタルに対する付着強度を高めるための多数の繊維１２が相互に隙間をあけた状態で突設されている。繊維１２は、タイル１０の裏面１０Ａに接着剤により取着され、または、タイル１０の裏面１０Ａに埋め込まれている。【選択図】図１
2008223406.tif 000002
【特許請求の範囲】
【請求項１】
タイルの裏面に、コンクリートまたはモルタル中に潜り込みコンクリートまたはモルタルに対する付着強度を高めるための多数の繊維が相互に隙間をあけた状態で突設されている、
ことを特徴とするタイル。
【請求項２】
前記繊維は、前記タイルの裏面に接着剤により取着されている、
ことを特徴とする請求項１記載のタイル。
【請求項３】
前記繊維は、前記タイルの裏面に埋め込まれている、
ことを特徴とする請求項１記載のタイル。
【請求項４】
前記繊維は、耐熱性を有している、
ことを特徴とする請求項１記載のタイル。
【請求項５】
前記繊維は、前記裏面から前記タイルの厚さと同程度の寸法で突出している、
ことを特徴とする請求項１記載のタイル。
【請求項６】
裏面に、コンクリートまたはモルタル中に潜り込みコンクリートまたはモルタルに対する付着強度を高めるための多数の繊維が相互に隙間をあけた状態で突設されたタイルが設けられ、
前記タイルは、前記繊維が前記コンクリートまたはモルタル中に埋め込まれた状態で前記裏面がコンクリートまたはモルタルに取着されている、
ことを特徴とするタイルの取り付け構造。
【発明の詳細な説明】
【技術分野】
【０００１】
本発明は、建物外壁のタイルの剥離を防止する上で有利なタイル及びタイルの取り付け構造に関する。
【背景技術】
【０００２】
建物の外壁を、タイルを用いて仕上げる場合、多くの場合、モルタルなどを用いて建物のコンクリートに陶磁器質タイルが接着されている。
高層の建物の場合、建物を構成するコンクリートの強度が高くなり、表面が硬く平滑になることが多く、タイルが貼り付けられた張付モルタルの付着性が弱くなり、建物のコンクリートと張付モルタルの界面で剥離が生じ、物的、人的に甚大な被害を及ぼす。
また、建物を構成するコンクリートに生じる歪と陶磁器質タイルに生じる歪の違いから張付モルタルが追従できなくなり、モルタルや陶磁器質タイルがコンクリートから剥離する場合もある。
このような事態を防止するため、コンクリート側の下地モルタルに繊維を設け、張付モルタルとの付着力を高めたり（特許文献１）、建物を構成するコンクリートの表面を、超高圧水やサンダーを用いて粗面にし、下地モルタルの付着力を高めるようにしている。
一方、コンクリートとの付着力を高め、施工の効率化をはかることを目的として、コンクリート打設時にタイルを打ち込むタイル先付工法が、主にプレキャストコンクリートにおいて多く実施されている。
しかしながら、上述のような従来の工法では、下地モルタルに対する張付モルタルの付着力を高めることができるものの、張付モルタルに対するタイル自体の付着力、または、コンクリートに対するタイル自体の付着力を高めることができず、この付着力は、タイルの裏面を凹凸形状とし、タイルの裏面の表面積を大きく確保することに頼っているのが現状である。
また、タイル先付工法の場合、特に柱にタイルを打ち込んだ場合には、柱に対し、乾燥収縮ひずみに加え、柱に作用する建物の軸力による弾性ひずみおよび長期クリープひずみが作用するが、２００μｍ程度の大きなひずみが柱に作用した際に、タイルとコンクリート間の接着力が耐えられずタイルが剥離に至ることも懸念されている（非特許文献１、非特許文献２）。
【特許文献１】特開平５−２４８０５９
【非特許文献１】コンクリート工学年次論文集Ｖｏｌ２８Ｎｏ１２００６ＰＰ４５５−４６０
【非特許文献２】日本建築学会大会学術講演梗概集Ａ−１２００５ＰＰ２７７−２７８
【発明の開示】
【発明が解決しようとする課題】
【０００３】
本発明は前記事情に鑑み案出されたものであって、本発明の目的は、張付モルタルに対するタイル自体の付着力、または、コンクリートに対するタイル自体の付着力を高めることができるタイル及びその取り付け構造を提供することにある。
【課題を解決するための手段】
【０００４】
前記目的を達成するため本発明のタイルは、その裏面に、コンクリートまたはモルタル中に潜り込みコンクリートまたはモルタルに対する付着強度を高めるための多数の繊維が相互に隙間をあけた状態で突設されていることを特徴とする。
【発明の効果】
【０００５】
本発明では、建物を構成するコンクリート、または張付モルタルに繊維を食い込ませることによって、コンクリートまたは張付モルタルとタイルとが一体となり、タイルがコンクリートまたは張付モルタルから剥離せず、タイルの接着状態が安定した状態で長期的に維持される。
したがって、例えば先付工法においては、タイルとコンクリートの接着界面に繊維を付与することによって、ひずみを緩和できるとともに、タイルとコンクリート間の繊維によってタイルの剥落を防止できる。
【発明を実施するための最良の形態】
【０００６】
以下、本発明の実施の形態を図面にしたがって説明する。
図１はタイルの斜視図、図２はタイルの断面図、図３はタイルの部分の拡大斜視図を示す。
建物の外壁に用いられるタイルは陶磁器質タイルまたはせっ器タイルであり、陶磁器質タイルは陶器質タイルと磁器質タイルの双方を含むものである。
本発明のタイル１０は陶磁器質タイルまたはせっ器タイルに適用され、その裏面１０Ａにコンクリートまたはモルタル中に潜り込みコンクリートまたはモルタルに対する付着強度を高めるための多数の繊維１２が相互に隙間をあけた状態で突設されている。
【０００７】
多数の繊維１２を相互に隙間をあけた状態で突設させるのは、それらの間にコンクリートまたはモルタルを入り易くし繊維１２をコンクリートまたはモルタルと一体化させ、タイル１０のコンクリートまたはモルタルに対する付着強度を高めるためである。
繊維１２の取り付け状態は、例えば、図２に示すように、毛羽立たせたり、あるいは、図４に示すようにループ状に巻回させたりなど、従来公知の様々な構造が適用される。
なお、タイルのコンクリートまたはモルタルへの付着強度を確保する上で、タイル１０の裏面１０Ａからの繊維１２の突出長さ（突出高さ）は、タイル１０の厚さと同程度の寸法を確保しておくことが望ましい。
【０００８】
繊維１２は耐熱性を有し、火災時においても溶融したりしない素材のものが望ましい。繊維１２は、コンクリート反応熱や直達日射に耐えうる他、火災時においても燃えない材料が望ましい。
繊維１２は、例えば、アラミド繊維などのような合成樹脂製の繊維、鋼繊維、ガラス繊維、炭素繊維など耐熱性のある繊維であれば何でも良い。耐熱温度は、例えば100℃以上、好ましくは1000℃以上が良い。また、繊維は溶融したり変質したりしないよう、長期的に耐久性があるものが良い。
【０００９】
繊維１２は、タイル１０の裏面１０Ａに接着剤により取着され、または、タイル１０の裏面１０Ａに埋め込まれている。
接着剤は、例えばエポキシ樹脂、ウレタン樹脂などを用いる。接着剤の裏面１０Ａへの塗布方法は、例えば刷毛やローラーによる塗布もあるが、好ましくは接着剤を噴霧して、タイル１０の裏面１０Ａに均一に接着剤を塗布する方法で行う。例えば、図５に示すように、多数の繊維１２を裏面１０Ａに載置し、その上から、スプレー２０により接着剤を霧状にして噴射する。
あるいは、図４に示すように、多数の繊維１２を例えば不織布２２に接着剤により取着しておき、この不織布１４をタイルの裏面に接着剤で取着するようにしてもよい。
図２に示すように、繊維１２をタイル１０の裏面１０Ａに埋め込む場合には、タイル１０の製造時において物理的に繊維１２を一体化させるものである。より詳細には、タイル１０の生地に耐熱性のある繊維１２を埋め込み、タイル生地を焼成してタイル１０と繊維１２を一体化させる。タイル生地は、例えば粘土、長石、陶石、石灰石、滑石、砂などから選択される一種以上の材料により構成され、外壁に用いることができる耐久性を有するタイルが焼成できるよう調合される。
本実施の形態のタイル１０は、繊維１２を介してコンクリートＣまたは張付モルタルＭと一体となり、タイル１０がコンクリートＣまたは張付モルタルＭから剥離せず、タイル１０の接着状態が安定した状態で長期的に維持される。
【００１０】
図６（Ｃ）、図７（Ｃ）に示すように、タイル１０は、繊維１２がコンクリートＣまたはモルタルＭ中に埋め込まれた状態で裏面１０ＡがコンクリートＣまたはモルタルＭに取着されている。
例えば、タイル１０はタイル先付け工法により建物の外壁に取り付けられる。
詳細に説明すると、図６（Ａ）に示すように、コンクリートを施工する際に、型枠２４の内側にタイル１０を繊維１２が内側を向くように配列させ、図６（Ｂ）に示すように、その型枠２４にコンクリートＣを流しこむ。
このコンクリートＣの流し込みにより、タイル１０に接着された繊維１２中にコンクリートＣが入り込み、図６（Ｃ）に示すように、タイル１０とコンクリートＣが一体化される。型枠２４は、例えば合板製、鋼板製、プラスチック製などであって、必要に応じてコンクリートＣを打ち込む際にタイル１０が動かないように固定することもできる。
【００１１】
また、例えば、タイル１０は、タイル後張り工法を提供する。
詳細に説明すると、図７（Ａ）に示すように、建物を構成するコンクリート表面にポリマーセメント入りのモルタルＭを塗り付け、タイル１０を張り付ける。ポリマーセメント入りのモルタルＭは、既成調合モルタルが好ましいが、現場調合モルタルにポリマーを混入したものでも構わない。ポリマーは、例えば酢酸ビニル系のものが好ましい。モルタルＭを塗り付ける方法は、金ごて３０を用いて、コンクリート表面に10〜80 mm 好ましくは20〜50 mm を塗り付ける。
続いて、コンクリートに塗りつけたモルタルＭにタイル１０を貼り付け、例えばビブラート３２の様な振動機を用いて、モルタルＭを繊維１２と繊維１２の間に入り組ませ、モルタルＭを介してタイル１０とコンクリートを一体化させる。
【００１２】
本発明の実施例について説明する。
JIS A 5209「陶磁器質タイル」に規定する磁器タイル（９５mm×４５mm）の裏面に、エポキシ樹脂系の接着剤をヘラで塗布し、綿状にしたアラミド繊維を3 g ／枚を張り付けた。
前記タイル表面に両面テープを張り付け、合板ベニヤ製の型枠に固定した。
その後、設計基準強度６０N/mm2 のコンクリートを流し込み、バイブレーターでコンクリートと繊維が一体になるように振動させ、これにより、タイル１０が一体化されたコンクリート板を得ることができた。
【図面の簡単な説明】
【００１３】
【図１】タイルの斜視図である。
【図２】タイルの断面図である。
【図３】タイルの部分の拡大斜視図である。
【図４】不織布を用いて繊維をタイルの裏面に接着する場合の説明図である。
【図５】スプレーを用いて繊維をタイルの裏面に接着する場合の説明図である。
【図６】タイルをコンクリートに取着する場合の説明図である。
【図７】タイルをモルタルに取着する場合の説明図である。
【符号の説明】
【００１４】
１０……タイル、１０Ａ……タイルの裏面、１２……繊維。
【図１】
2008223406.tif 000003
【図２】
2008223406.tif 000004
【図３】
2008223406.tif 000005
【図４】
2008223406.tif 000006
【図５】
2008223406.tif 000007
【図６】
2008223406.tif 000008
【図７】
2008223406.tif 000009